(57)【要約】  基準信号の巡回シフトをセル固有の巡回シフトと疑似ランダムホッピングの結果との組合せとして量子化し、前記セル固有巡回シフトの指標をブロードキャストする。１つの実施形態では、巡回シフトはセル固有巡回シフトとユーザ固有巡回シフトと擬似ランダムホッピングの結果との合計に対するモジュロ演算として量子化される。この場合、ユーザ固有巡回シフトの指標がアップリンクリソース割当てにおいて送信され、ユーザはその巡回シフトされた基準信号をアップリンクリソース割当てにより割り当てられたアップリンクリソースで送信する。巡回シフトは基準信号の長さに従ってcyclic_shift_symbol = (cyclic_shift_value * 基準信号の長さ) /12として量子化してもよい。ここで、cyclic_shift_valueは０から１１の間の値であり、cyclic_shift_symbolは基準信号シンボルにおける与えられた巡回シフトの量である。
2010525708.tif 000002
【特許請求の範囲】
【請求項１】
基準信号の巡回シフトをセル固有の巡回シフトと疑似ランダムホッピングの結果との組合せとして量子化し、前記セル固有巡回シフトの指標をブロードキャストすることを含むことを特徴とする方法。
【請求項２】
前記セル固有巡回シフトと前記擬似ランダムホッピングの結果とユーザ固有巡回シフトとを用いて、前記巡回シフトを量子化する、請求項１記載の方法。
【請求項３】
前記ユーザ固有巡回シフトの指標をアップリンクリソース割当てにおいてシグナリングする、請求項２記載の方法。
【請求項４】
前記アップリンクリソース割当てはｅ−ＵＴＲＡＮシステムの割当てテーブルを含んでいる、請求項３記載の方法。
【請求項５】
ｅ−ＵＴＲＡＮシステムのノードＢによって実行される方法であって、前記基準信号が復調基準信号を含んでいる、請求項４記載の方法。
【請求項６】
前記巡回シフトの量子化が前記セル固有巡回シフトと前記ユーザ固有巡回シフトと前記擬似ランダムホッピングの結果との合計に対するモジュロ演算を含んでいる、請求項2記載の方法。
【請求項７】
前記疑似ランダムホッピングがセルに固有である、請求項１記載の方法。
【請求項８】
前記セル固有巡回シフトが送信時間インターバル間で巡回シフトをランダム化するよう作用する、請求項１記載の方法。
【請求項９】
前記巡回シフトを前記基準信号の長さに従って量子化する、請求項１記載の方法。
【請求項１０】
前記基準信号は、
cyclic_shift_symbol = (cyclic_shift_value * 基準信号の長さ) /12
に従う巡回シフトによって巡回シフトされた基準信号を生成するために使用され、ここでcyclic_shift_valueは０から１１の間の値であり、cyclic_shift_symbolは基準信号シンボルにおける与えられた巡回シフトの量である、請求項９記載の方法。
【請求項１１】
基準信号の巡回シフトをセル固有の巡回シフトと疑似ランダムホッピングの結果との組合せとして量子化するよう構成されたプロセッサと、前記セル固有巡回シフトの指標をブロードキャストするよう構成された送信器とを含むことを特徴とする装置。
【請求項１２】
前記プロセッサは、セル固有巡回シフトと擬似ランダムホッピングの結果とユーザ固有巡回シフトとを用いて、前記巡回シフトを量子化するよう構成されている、請求項１１記載の方法。
【請求項１３】
前記送信器はさらに、前記ユーザ固有巡回シフトの指標をアップリンクリソース割当てにおいてシグナリングするよう構成されている、請求項１２記載の方法。
【請求項１４】
前記アップリンクリソース割当てはｅ−ＵＴＲＡＮシステムの割当てテーブルを含んでいる、請求項１３記載の装置。
【請求項１５】
前記装置はｅ−ＵＴＲＡＮシステムのノードＢを含んでおり、前記基準信号は復調基準信号を含んでいる、請求項１４記載の装置。
【請求項１６】
前記プロセッサは、前記セル固有巡回シフトと前記ユーザ固有巡回シフトと前記擬似ランダムホッピングの結果の合計に対するモジュロ演算を実行することにより前記巡回シフトを量子化するよう構成されている、請求項１２記載の装置。
【請求項１７】
前記疑似ランダムホッピングがセルに固有である、請求項１１記載の装置。
【請求項１８】
前記セル固有巡回シフトが送信時間インターバル間で巡回シフトをランダム化するよう作用する、請求項１１記載の装置。
【請求項１９】
前記プロセッサは前記基準信号の長さに従って前記巡回シフトを量子化するよう構成されている、請求項１１記載の装置。
【請求項２０】
巡回シフトされた基準信号を受信するよう構成された受信器をさらに含んでおり、前記プロセッサは受信した基準信号を
cyclic_shift_symbol = (cyclic_shift_value * 基準信号の長さ) /12
に従う巡回シフトによって復調するために巡回シフトされた基準信号を生成するよう構成されており、ここでcyclic_shift_valueは０から１１の間の値であり、cyclic_shift_symbolは基準信号シンボルにおける与えられた巡回シフトの量である、請求項１９記載の装置。
【請求項２１】
前記装置は集積回路を含んでいる、請求項１１記載の装置。
【請求項２２】
基準信号の巡回シフトを決定する動作を実行するプロセッサにより実行可能な命令のプログラムを実体化したコンピュータ可読メモリであって、前記動作が、基準信号の巡回シフトをセル固有の巡回シフトと疑似ランダムホッピングの結果との組合せとして量子化すること、および、前記セル固有巡回シフトの指標をブロードキャストすることを含むことを特徴とする、コンピュータ可読メモリ。
【請求項２３】
前記巡回シフトは、前記セル固有巡回シフトと前記擬似ランダムホッピングの結果とユーザ固有巡回シフトとを用いて量子化される、請求項２２記載のコンピュータ可読メモリ。
【請求項２４】
前記動作はさらに、前記ユーザ固有巡回シフトの指標をアップリンクリソース割当てにおいてシグナリングすることを含む、請求項２３記載のコンピュータ可読メモリ。
【請求項２５】
前記アップリンクリソース割当てはｅ−ＵＴＲＡＮシステムの割当てテーブルを含んでおり、前記基準信号は復調基準信号を含んでいる、請求項２４記載のコンピュータ可読メモリ。
【請求項２６】
前記巡回シフトの量子化がセル固有巡回シフトとユーザ固有巡回シフトと擬似ランダムホッピングの結果の合計に対するモジュロ演算を含んでいる、請求項２３記載のコンピュータ可読メモリ。
【請求項２７】
前記巡回シフトは前記基準信号の長さに従って量子化され、
cyclic_shift_symbol = (cyclic_shift_value * 基準信号の長さ) /12
に従う巡回シフトによって巡回シフトされた基準信号を生成し、ここでcyclic_shift_valueは０から１１の間の値であり、cyclic_shift_symbolは基準信号シンボルにおける与えられた巡回シフトの量である、請求項２２記載のコンピュータ可読メモリ。
【請求項２８】
基準信号の巡回シフトをセル固有の巡回シフトと疑似ランダムホッピングの結果との組合せとして量子化する処理手段と、前記セル固有巡回シフトの指標を送信する通信手段とを含むことを特徴とする装置。
【請求項２９】
前記処理手段はディジタルプロセッサを含んでおり、前記通信手段は前記セル固有巡回シフトを無線でブロードキャストするよう構成された送信器を含んでいる、請求項２８記載の装置。
【請求項３０】
受信したセル固有巡回シフトの指標からセル固有巡回シフトを決定し、該セル固有巡回シフトと疑似ランダムホッピングの結果との組合せとして基準信号の量子化された巡回シフトを決定し、決定された量子化済み巡回シフトに従って巡回シフトさせた基準信号を送信することを特徴とする方法。
【請求項３１】
前記量子化された巡回シフトを、前記セル固有巡回シフトと前記擬似ランダムホッピングの結果とユーザ固有巡回シフトとを用いて決定する、請求項３０記載の方法。
【請求項３２】
前記セル固有巡回シフトの指標をブロードキャストチャネルを介して受信し、さらに前記ユーザ固有巡回シフトの指標をアップリンクリソース割当てにおいて受信し、受信したユーザ固有巡回シフトの指標から前記ユーザ固有巡回シフトを決定する、請求項３１記載の方法。
【請求項３３】
前記アップリンクリソース割当てはｅ−ＵＴＲＡＮシステムの割当てテーブルを含んでおり、決定された量子化済み巡回シフトに従って巡回シフトされた前記基準信号を前記アップリンクリソース割当てにより割り当てられたリソースで送信する、請求項３２記載の方法。
【請求項３４】
ｅ−ＵＴＲＡＮシステム内で動作するユーザ機器により実行される方法であって、前記基準信号が復調基準信号を含んでいる、請求項３３記載の方法。
【請求項３５】
前記巡回シフトの量子化が前記セル固有巡回シフトと前記ユーザ固有巡回シフトと前記擬似ランダムホッピングの結果との合計に対するモジュロ演算を含んでいる、請求項３１記載の方法。
【請求項３６】
前記疑似ランダムホッピングがセルに固有である、請求項３０記載の方法。
【請求項３７】
前記セル固有巡回シフトが送信時間インターバル間で巡回シフトをランダム化するよう作用する、請求項３０記載の方法。
【請求項３８】
前記巡回シフトを前記基準信号の長さに従って量子化する、請求項３０記載の方法。
【請求項３９】
決定された量子化済み巡回シフトに従って巡回シフトされた前記送信された基準信号は
cyclic_shift_symbol = (cyclic_shift_value * 基準信号の長さ) /12
に従う巡回シフトを有しており、ここでcyclic_shift_valueは０から１１の間の値であり、cyclic_shift_symbolは基準信号シンボルにおける与えられた巡回シフトの量である、請求項３８記載の方法。
【請求項４０】
基準信号の巡回シフトを決定する動作を実行するプロセッサにより実行可能な命令のプログラムを実体化したコンピュータ可読メモリであって、前記動作が、セル固有巡回シフトの受信した指標からセル固有巡回シフトを決定すること、基準信号の巡回シフトを前記セル固有巡回シフトと疑似ランダムホッピングの結果との組合せとして量子化すること、および、決定された量子化済み巡回シフトに従って巡回シフトされた基準信号を送信することを含むことを特徴とする、コンピュータ可読メモリ。
【請求項４１】
前記量子化された巡回シフトは、前記セル固有巡回シフトと前記擬似ランダムホッピングの結果とユーザ固有巡回シフトとを用いて決定される、請求項４０記載のコンピュータ可読メモリ。
【請求項４２】
前記セル固有巡回シフトの指標はブロードキャストチャネルを介して受信され、前記ユーザ固有巡回シフトの指標はアップリンクリソース割当てにおいて受信される、請求項４１記載のコンピュータ可読メモリ。
【請求項４３】
前記アップリンクリソース割当てはｅ−ＵＴＲＡＮシステムの割当てテーブルを含んでおり、決定された量子化済み巡回シフトに従って巡回シフトされた前記基準信号は前記アップリンクリソース割当てにより割り当てられたリソースで送信される、請求項４２記載のコンピュータ可読メモリ。
【請求項４４】
前記巡回シフトの量子化は前記セル固有巡回シフトと前記ユーザ固有巡回シフトと前記擬似ランダムホッピングの結果との合計に対するモジュロ演算を含んでいる、請求項４１記載のコンピュータ可読メモリ。
【請求項４５】
決定された量子化済み巡回シフトに従って巡回シフトされた前記送信された基準信号は
cyclic_shift_symbol = (cyclic_shift_value * 基準信号の長さ) /12
に従う巡回シフトを有しており、ここでcyclic_shift_valueは０から１１の間の値であり、cyclic_shift_symbolは基準信号シンボルにおける与えられた巡回シフトの量である、請求項４０記載のコンピュータ可読メモリ。
【請求項４６】
セル固有巡回シフトの指標を受信するよう構成された受信器と、受信された前記指標から前記セル固有巡回シフトを決定し、基準信号の量子化された巡回シフトを前記セル固有巡回シフトと擬似ランダムホッピングの結果との組合せとして決定するよう構成されたプロセッサと、決定された量子化済み巡回シフトに従って巡回シフトさせた基準信号を送信するよう構成された送信器を含んでいることを特徴とする装置。
【請求項４７】
前記プロセッサは、前記セル固有巡回シフトと前記擬似ランダムホッピングの結果とユーザ固有巡回シフトとを用いて、前記量子化済み巡回シフトを決定するよう構成されている、請求項４６記載の装置。
【請求項４８】
前記受信器は前記セル固有巡回シフトの指標をブロードキャストチャネルを介して受信するよう構成されており、前記受信器はさらに、前記ユーザ固有巡回シフトの指標をアップリンクリソース割当てにおいて受信するよう構成されており、前記プロセッサは前記ユーザ固有巡回シフトの受信した指標から前記ユーザ固有巡回シフトを決定するよう構成されている、請求項４７記載の装置。
【請求項４９】
前記アップリンクリソース割当てはｅ−ＵＴＲＡＮシステムの割当てテーブルを含んでおり、前記送信器は決定された量子化済み巡回シフトに従って巡回シフトさせた前記基準信号を前記アップリンクリソース割当てにより割り当てられたリソースで送信するよう構成されている、請求項４８記載の装置。
【請求項５０】
前記装置はｅ−ＵＴＲＡＮシステム内で動作するユーザ機器を含んでおり、前記基準信号は復調基準信号を含んでいる、請求項４９記載の装置。
【請求項５１】
前記プロセッサは、前記セル固有巡回シフトと前記ユーザ固有巡回シフトと前記擬似ランダムホッピングの結果との合計に対するモジュロ演算により前記巡回シフトを量子化するよう構成されている、請求項４７記載の装置。
【請求項５２】
前記疑似ランダムホッピングがセルに固有である、請求項４６記載の装置。
【請求項５３】
前記セル固有巡回シフトは送信時間インターバル間で巡回シフトをランダム化するよう作用する、請求項４６記載の装置。
【請求項５４】
前記巡回シフトは前記基準信号の長さに従って量子化される、請求項４６記載の装置。
【請求項５５】
決定された量子化済み巡回シフトに従って巡回シフトされた前記送信された基準信号は
cyclic_shift_symbol = (cyclic_shift_value * 基準信号の長さ) /12
に従う巡回シフトを有しており、ここでcyclic_shift_valueは０から１１の間の値であり、cyclic_shift_symbolは基準信号シンボルにおける与えられた巡回シフトの量である、請求項５４記載の装置。
【請求項５６】
前記装置は集積回路を含んでいる、請求項４６記載の装置。
【請求項５７】
セル固有巡回シフトの指標を受信する受信手段と、前記セル固有巡回シフトの受信された指標から前記セル固有巡回シフトを決定し、基準信号の量子化された巡回シフトを前記セル固有巡回シフトと擬似ランダムホッピングの結果との組合せとして決定する決定手段と、決定された量子化済み巡回シフトに従って巡回シフトさせた基準信号を送信する送信手段とを含んでいることを特徴とする装置。
【請求項５８】
前記受信手段は受信器を含んでおり、前記決定手段は少なくとも１つのディジタルプロセッサを含んでおり、前記送信手段は送信器を含んでいる、請求項５６記載の装置。
【発明の詳細な説明】
【技術分野】
【０００１】
同時係属中の仮特許出願からの優先権の主張
本特許出願は、３５ Ｕ．Ｓ．Ｃ ‘１１９（ｅ）に基づき、仮特許出願第６０／９２７，０５４号（２００７年４月３０日出願）および第６０／９６４，８７８号（２００７年８月１５日出願）の優先権を主張するものである。なお、上記仮特許出願はそれぞれ参照により全体として本願に含められている。
【０００２】
技術分野
本発明の実施形態は全体的にワイヤレス通信システムに、より詳しくは、従来のＺＣ系列だけでなく、改良型（例えば、延長または切断された）ＺＣ系列も含む（Ｚａｄｏｆｆ−Ｃｈｕ）系列の送信／受信に関しているが、これらの実施形態は例示的かつ非限定的なものである。
【０００３】
背景技術
ここで、以下の略語を定義する。
３ＧＰＰ  第３世代パートナーシッププロジェクト
ＡＣＫ  肯定応答
ＣＡＺＡＣ  定振幅ゼロ自己相関
ＣＤＭ  符号分割多重
ＣＱＩ  チャネル品質指標
ＤＦＴ  離散フーリエ変換
ＤＭ  復調
ｅ−  進化型（ｅ−ＵＴＲＡＮではＬＴＥとして知られる）
ＦＤＭ／ＦＤＭＡ  周波数分割多重／多重接続
ＩＦＦＴ  高速逆フーリエ変換
ＬＢ  ロングブロック
ＬＴＥ  長期的進化（３．９Ｇとしても知られる）
ＮＡＣＫ  否定応答
Ｎｏｄｅ  Ｂ  基地局またはＢＳ（ｅ−Ｎｏｄｅ  Ｂを含む）
ＯＦＤＭ  直交周波数分割多重
ＰＵＣＣＨ  アップリンク物理制御チャネル
ＲＡＮ  無線アクセスネットワーク
ＲＬＣ  無線リンク制御
ＲＳ  基準信号
ＲＵ  リソースユニット
ＳＩＭＯ  単入力多出力
ＴＴＩ  送信時間インターバル
ＵＥ  ユーザ機器
ＵＬ  アップリンク
ＵＭＴＳ  ユニバーサル移動通信システム
ＵＴＲＡＮ  ＵＭＴＳ地上無線アクセスネットワーク
Ｖ−ＭＩＭＯ  仮想多入力／多出力
ＺＣ  Ｚａｄｏｆｆ−Ｃｈｕ
【０００４】
ｅ−ＵＴＲＡのＳＣ−ＦＤＭＡ  ＵＬの説明に関しては、一般に3GPP TR 25.814, V7.0.0 (2006-06), TECHNICAL SPECIFICATION GROUP RADIO ACCESS NETWORK、PHYSICAL LAYER ASPECTS FOR EVOLVED UNIVERSAL TERRESTRIAL RADIO ACCESS (UTRA) (リリース７）のセクション９．１を参照することができる。３ＧＰＰ ＴＲ ２５．８１４の図９．１．１−４を再現した図１Ａを参照すると、その（以前の）フォーマットによれば、３ＧＰＰ  ＬＴＥ  ＵＬの以前のフレームフォーマットでは、ショートブロックと呼ばれる２つのブロックＳＢ１およびＳＢ２がパイロット信号用に確保されている。このフォーマットは最近変更され、図１Ｂには、３ＧＰＰ ＴＳ ３６．２１１ （Ｖ１．０．０）（２００７−０３）のセクション４．１の図１からとった、現在採用されている一般的フォーマットが示されている。図１Ｂでは、現行のフォーマットに従い、もはやＳＢは存在していないが、その構造はそれぞれ長さが０．５ミリ秒の２つのスロットからなる１つのサブフレームであることが分かる。旧いフォーマットのＳＢは新しいフォーマットのＬＢで置き換えられている。しかし、特定のフォーマット（図１Ａ，１Ｂまたはそれ以外）には関係なく、各サブフレームには２つのパイロット（最新のフォーマットでは２つのパイロットＬＢ、より一般的には２つのパイロットＲＳ）が存在する。また、この目的で（例えば、帯域外または時間外ＲＳを送信するため）付加的なＬＢを使用してもよい。これは周期的であってもよいし、周期的でなくてもよい。
【０００５】
より具体的には、３ＧＰＰ ＴＲ ２５．８１４のセクション９．１に記載されているように、基本的なアップリンク送信スキームは、アップリンクのユーザ間に直交性をもたせ、受信側での効率的な周波数領域等化を可能にする巡回プレフィックスを有するシングルキャリア送信（ＳＣ−ＦＤＭＡ）である。ここでは、ＤＦＴ拡散ＯＦＤＭ（ＤＦＴ  Ｓ−ＯＦＤＭ）としても知られる周波数領域信号生成を仮定し、３ＧＰＰ ＴＲ ２５．８１４の図９．１．１−１を再現した図１Ｃに示す。このアプローチによれば、ダウンリンクＯＦＤＭスキームとの比較的高い共通性が得られ、同じパラメータ、例えばクロック周波数を再利用することが可能である。
【０００６】
ここで、ＵＬ送信に関して以前承認された基本的なサブフレーム構造を図１Ａに示す。２つのショートブロック（ＳＢ）と６つのロングブロック（ＬＢ）がサブフレームごとに定義されており、２つのサブフレームが１つのＴＴＩを張っている。ショートブロックはコヒーレントな復調および／または制御／データ伝送の基準信号のために使用される。ロングブロックは制御および／またはデータ伝送のために使用される。図１Ｂに示されているように、ＳＢとＬＢとの間にもはや区別はないが、それでも２つのスロットがあり、各々のスロットが１つのパイロットシーケンスを担っている。データは定期データ伝送および不定期データ伝送の一方または両方を含んでいてよく、ローカル伝送と分散伝送の両方に同じサブフレーム構造が使用される。
【０００７】
ＬＴＥＵＬのパイロットシーケンスとしては、Ｚａｄｏｆｆ−Ｃｈｕ  ＣＡＺＡＣ系列が合意されている。
【０００８】
したがって、ＺＣ系列とその改良バージョン（すなわち、切断および／または延長したＺＣ系列）がＬＴＥアップリンクシステムにおける基準信号として使用されており、また物理アップリンク制御チャネル（ＰＵＣＣＨ）上でも使用される。３ＧＰＰでは、ＡＣＫ／ＮＡＣＫおよびＣＱＩのようなデータ関連でない制御信号はＺＣ系列によりＰＵＣＣＨ上で伝送されることが決められている。これらの方法については、"MULTIPLEXING OF L1/L2 CONTROL SIGNALS BETWEEN UEs IN THE ABSENCE OF UL DATA"（3GPP TSG RAN WG1 Meeting #47bis, Sorrento, Italy; January 15-19, 2007 by Nokia, document R1-070394）というタイトルの論文を参照されたい。あるセルの中の複数のＵＥは同一のＺａｄｏｆｆ−Ｃｈｕ系列を共有しているが、各ＵＥに固有の巡回シフトを使用して直交性を維持している。このようにして、セル内の異なるＵＥはそれらのＵＬ伝送（例えば非データ関連のＵＬ伝送）を同じ周波数および時間リソース（物理リソースブロック／ユニット、すなわちＰＲＢ／ＰＲＵ；現在はＬＴＥで１８０ｋＨｚ）上で多重化することができる。このＺＣ系列の直交性により、受信ノードＢは互いからの異なる信号を区別することができる。しかし、２つの問題が生じる。
【０００９】
第１に、長さの異なるＺＣ系列は大きな自己相関を有する場合がある。このため、復調基準信号に干渉の問題が生じる。
【００１０】
ＰＵＣＣＨ上での「符号領域」衝突を避けるためには、異なるセル／セクタは異なるＺＣ母系列を使用すべきである。これは、十分なランダム化のための適切な母系列が十分に存在していないという意味において、ＰＵＣＣＨで使用されるＺＣ系列に関する問題である。それゆえ、いくつかの例では、隣接セルは同一のＺＣ母系列（ベースシーケンスと呼ばれることもある）を用いて動作する。
【００１１】
ＰＵＣＣＨに関するもう１つの問題は、同一セル内で非データ関連の制御信号を伝送する異なるＵＥが同一のＺＣ系列の異なる巡回シフトによってしか分離されないことにある。このアプローチの問題は、系列が互いに完全直交していないことにある。
・直交性は時間領域で行われるブロック拡散によるドップラー効果のため限定的である。
・直交性は、ＺＣまたはＣＡＺＡＣ符号の巡回シフトを１つのＬＢ内で用いた場合、遅延拡散のため限定的である。
【００１２】
また、電力制御誤差のような実際的な制限を考慮するならば、直交性の問題はさらに大きくなる。
【００１３】
図２は、シンボル１２個分の長さのＺＣ系列に使用できる巡回シフトを示した概略図である。異なる符号チャネル間の直交性は大幅に変化することが知られている。最も良い直交性は、巡回シフト領域（例えば、図２の巡回シフト＃０と巡回シフト＃６）の差が最も大きい符号チャネル間で達成される。一方、最悪の直交性は隣接する２つの巡回シフト（例えば、図２の巡回シフト＃３と巡回シフト＃２および＃４）の間の直交性である。
【００１４】
同じ問題はブロックレベルでの拡散符号の巡回シフトにも関係している（詳細については、前掲の文献Ｒ１−０７０３９４を参照されたい）。ドップラー拡散が（ＵＥの動きのせいで）非常に大きい極端なケースを考えてみよう。隣接する巡回シフトを伴うブロックレベルの符号は最悪の自己相関特性を有しており、多重化された後に受信側で互いを区別するのが最も難しいことが知られている。ドップラーシフトに関するさらなる詳細は、２００７年２月５日出願のアメリカ合衆国特許仮出願第６０／８９９，８６１号と、２００７年１２月２８日出願のＰＣＴ／ＩＢ２００７／００４１３４に見られる。
【００１５】
疑似ランダム巡回シフトホッピングは、論文"CYCLIC SHIFT HOPPING FOR UPLINK SOUNDING REFERENCE SIGNAL" （3GPP TSG RAN WG1 Meeting #48, St. Louis, USA, February 12-16, 2007 by ETRI, document R1-070748）に見られるように、公知である。
【００１６】
別の関連論文としては、"NON-COHERENT ACK/NACK SIGNALING USING CODE SEQUENCES AS INDICATORS IN E-UTRAN UPLINK" (3GPP TSG RAN WG1 Meeting #47bis, Sorrento, Italy, January 15-19, 2007 by ETRI, document R1-070078）がある。この論文はＡＣＫ／ＮＡＣＫシグナリングのある種のランダム化を用いることを提案している。この論文では、ＡＣＫ／ＮＡＣＫ信号は、ＣＡＺＡＣ符号の或る巡回シフトがＡＣＫに対応し、別の巡回シフトがＮＡＣＫに対応するように、別個のＲＳなしに伝送されると仮定されている。文献Ｒ１−０７００７８は、ＡＣＫ／ＮＡＣＫ情報と第２のブロックにおける伝送巡回シフトとの間の１対１関係が第１のロングブロックＬＢにおけるマッピングとは逆になるようにＡＣＫ／ＮＡＣＫのマッピングを行い、ＡＣＫ／ＮＡＣＫ情報を巡回シフトの量で伝達することを提案しているようである。
【００１７】
これは、発明者が巡回シフトの主な利点であると考えること、すなわち、基礎となる同一のＺＣ母系列を使用する場合に異なる符号チャネル間の干渉をランダム化することを行っていないようである。ＵＥが送ろうとしているＡＣＫ／ＮＡＣＫメッセージによって巡回シフトが与えられる場合、ＺＣ符号の直交性は最大化されえない。以下で見るように、発明者は、ＺＣ母系列が少ないために様々なＵＥによって使用されるすべてのＺＣ系列を直交化することができないという問題を解決する異なるアプローチを考案した。
【００１８】
概要
本発明の１つの実施形態によれば、基準信号の巡回シフトをセル固有の巡回シフトと疑似ランダムホッピングの結果との組合せとして量子化し、セル固有巡回シフトの指標をブロードキャストすることを含む方法が提供される。
【００１９】
本発明の別の実施形態によれば、プロセッサと送信器とを含む装置が提供される。このプロセッサは、基準信号の巡回シフトをセル固有の巡回シフトと疑似ランダムホッピングの結果との組合せとして量子化するよう構成されている。送信器はセル固有巡回シフトの指標をブロードキャストするよう構成されている。
【００２０】
本発明のさらに別の実施形態によれば、基準信号の巡回シフトを決定する動作を実行するプロセッサにより実行可能な命令のプログラムを実体化したコンピュータ可読メモリが提供される。この実施形態において、上記動作は、基準信号の巡回シフトをセル固有巡回シフトと疑似ランダムホッピングの結果との組合せとして量子化し、セル固有巡回シフトの指標をブロードキャストすることを含んでいる。
【００２１】
本発明のさらに別の実施形態によれば、（例えば、ディジタルプロセッサ、ＡＳＩＣ、ＦＰＧＡなどのような）処理手段と（例えば、セル固有巡回シフトを無線でブロードキャストするよう構成された送信器またはトランシーバのような）通信手段を含む装置が提供される。ここで、処理手段は、基準信号の巡回シフトをセル固有の巡回シフトと疑似ランダムホッピングの結果との組合せとして量子化するためのものである。通信手段はワイヤレスリンクを介してセル固有巡回シフトの指標を送信するためのものである。
【００２２】
本発明のさらに別の実施形態によれば、受信したセル固有巡回シフトの指標からセル固有巡回シフトを決定し、基準信号の量子化された巡回シフトをセル固有巡回シフトと疑似ランダムホッピングの結果との組合せとして決定し、決定された量子化済み巡回シフトに従って周期的にシフトした基準信号を送信することを含む方法が提供される。
【００２３】
本発明のさらに別の実施形態によれば、基準信号の巡回シフトを決定するための動作を実行するプロセッサにより実行可能な命令のプログラムを実体化したコンピュータ可読メモリが提供される。この実施形態において、上記動作は、受信したセル固有巡回シフトの指標からセル固有巡回シフトを決定し、基準信号の量子化された巡回シフトをセル固有巡回シフトと疑似ランダムホッピングの結果との組合せとして決定し、決定された量子化済み巡回シフトに従って周期的にシフトした基準信号を送信することを含んでいる。
【００２４】
本発明の別の実施例によれば、受信器、プロセッサおよび送信器を含む装置が提供される。受信器はセル固有巡回シフトの指標を受信するよう構成されている。プロセッサは受信した指標からセル固有巡回シフトを決定し、セル固有巡回シフトと疑似ランダムホッピングの結果との組合せとして基準信号の量子化された巡回シフトを決定するよう構成されている。送信器は決定された量子化済み巡回シフトに従って周期的にシフトした基準信号を送信するよう構成されている。
【００２５】
本発明のさらに別の実施形態によれば、（例えば、受信器またはトランシーバのような）受信手段、（例えば、プロセッサ、ＡＳＩＣまたはＦＰＧＡなどのような）決定手段、および（例えば、送信器またはトランシーバのような）送信手段を含む装置が提供される。ここで、受信手段はセル固有巡回シフトの指標を受信するためのものである。決定手段は、受信した指標からセル固有巡回シフトを決定し、セル固有巡回シフトと疑似ランダムホッピングの結果との組合せとして基準信号の量子化された巡回シフトを決定するためのものである。送信手段は決定された量子化済み巡回シフトに従って周期的にシフトした基準信号を送信するためのものである。
【図面の簡単な説明】
【００２６】
【図１Ａ】３ＧＰＰ  ＴＲ  ２５．８１４（Ｖ７．０．０）の図９．１．１−４を再現したものであり、３ＧＰＰ  ＬＴＥ  ＵＬの初期のサブフレームフォーマットを示している。
【図１Ｂ】３ＧＰＰ  ＴＲ  ３６．２１１（Ｖ１．０．０）のセクション４．１の図１を再現したものであり、３ＧＰＰ  ＬＴＥ  ＵＬの最近採用されたサブフレームフォーマット（ジェネリック）を示している。
【図１Ｃ】３ＧＰＰ  ＴＲ  ２５．８１４の図９．１．１−１を再現したものであり、３ＧＰＰ  ＬＴＥ  ＳＣ−ＦＤＭＡ  ＵＬの送信信号の周波数領域の生成を示している。
【図２】単一リソースユニット上のＣＡＺＡＣ系列の可能なすべての巡回シフトを時計状に配置して図示した概略的な図であり、隣接するシフトは直交性に乏しく、向き合ったシフトは直交性が良いことを示している。
【図３】本発明の実施例を実施する際に使用するのに適した種々の電子デバイスの簡単なブロック図を示している。
【図４Ａ】所与の送信時間間隔内の異なるスロットで使用される種々のＣＡＺＡＣ系列巡回シフトホッピングパターンを示している。
【図４Ｂ】所与の送信時間間隔内の異なるスロットで使用される種々のＣＡＺＡＣ系列巡回シフトホッピングパターンを示している。
【図５】図４Ａ−Ｂの複合データをネットワークまたはポータブルワイヤレスデバイスに格納できるようにテーブル形式で示した表である。
【図６】図４Ａ−Ｂと同様に、異なる拡散率に対して、異なるブロックレベルの巡回シフトホッピングパターンを示している。
【図７】図６のデータをネットワークまたはポータブルワイヤレスデバイスに格納できるようにテーブル形式で示した表である。
【図８】ＵＴＲＡＮ−ＬＴＥにおけるＡＣＫ／ＮＡＣＫシグナリングの従来技術による伝送フォーマットのグラフである。
【図９】図８に従って送信されたＡＣＫ／ＮＡＣＫに対する複合ＣＡＺＡＣ系列巡回シフトホッピングとブロック拡散系列巡回シフトホッピングの表である。
【図１０】１つの無線フレーム（１０個の送信時間インターバル）にわたって繰り返す、１２個の基準信号に対するＴＴＩ間巡回シフトホッピングパターンの表である。
【図１１】ＴＴＩ内シフトホッピングとＴＴＩ間シフトホッピングの組合せに対する複合巡回シフトパターンを示している。
【図１２】３つの異なるＳＩＭＯ／ＭＩＭＯ環境の各々に対する巡回シフトパターンを示している。
【図１３】１２個のＵＥがＣＡＺＡＣ系列巡回シフトにより多重化される場合に１つの無線フレームスロット（７つのロングブロック）にわたって繰り返すＣＡＺＡＣ系列の１２の巡回シフトのセル内干渉をランダム化するシンボル単位でのホッピングパターン要素の表である。
【図１４】スロット内のＬＢの数とシンボル単位でのホッピングパターンの列との間のマッピングを示している。
【図１５】６個のＵＥがＣＡＺＡＣ系列巡回シフトにより多重化される場合に１つの無線フレームスロット（７つのロングブロック）にわたって繰り返すＣＡＺＡＣ系列の１２の巡回シフトのセル内干渉をランダム化するシンボル単位でのホッピングパターン要素の表である。
【図１６】１つの無線フレームスロット（７つのロングブロック）にわたって繰り返すＣＡＺＡＣ系列の１２の巡回シフトのセル間干渉をランダム化するシンボル単位でのホッピングパターン要素の表である。
【図１７】本発明の非限定的な実施例によるプロセス流れ図である。
【００２７】
詳細な説明
本発明の実施形態はＺＣ巡回シフトホッピングに関するものである。ある実施形態でのシフトホッピングの目標は、相互相関の改善と、複数のＵＥによって送信されるＺＣ系列の間の干渉平均化特性を提供することである。本発明の実施形態は復調ＲＳとＰＵＣＣＨの両方に適用可能な協調巡回シフトホッピングスキームを提供する。大まかに言えば、ここに示す例示的な符号ホッピングスキームはＴＴＩ内部でのランダム化とＴＴＩ外部でのランダム化の２つの異なる局面に分割することができる。本発明の特に有利な実施形態はＵＴＲＡＮ  ＬＴＥシステムにおけるＵＬである。しかし、このこと自体は本発明を限定するものではない。というのも、本明細書で詳述する系列ホッピング技術は任意のワイヤレスシステムで、例えば、ＧＳＭ（グローバル移動体通信システム）、ＨＳＤＰＡ（高速データパケットアクセス）、または限られた数の母符号／ベース符号からシフトされたＣＡＺＡＣ系列／基準信号を使用する他の任意のシステムで使用できるからである。さらに、本発明はＺＣ符号のみならず、いずれのＣＡＺＡＣ系列にも限定されない。本明細書で詳述するＺＣ符号は改良型（例えば、拡張または切断された）ＺＣ符号も含む。後で見るように、このようなＺＣ系列の送信および受信が詳述される。
【００２８】
まず図３を参照すると、本発明の実施例を実施する際に使用するのに適した種々の電子デバイスの簡単なブロック図が示されている。図３において、ワイヤレスネットワーク１はノードＢ（基地局） １２を介してＵＥ １０と通信するよう適合されている。ネットワーク１はサービングゲートウェイＧＷ １４または他の無線コントローラ機能を含んでいてよい。ＵＥ １０はデータプロセッサ（ＤＰ）１０Ａ、プログラム（ＰＲＯＧ）１０Ｃを格納するメモリ（ＭＥＭ）１０Ｂ、および、１つまたは複数のアンテナ１０Ｅを経てリンク１６を通してノードＢ１２と双方向ワイヤレス通信をする適切な無線周波（ＲＦ）トランシーバ１０Ｄを含んでおり、ノードＢ １２がまたＤＰ １２Ａ、ＰＲＯＧ １２Ｃを格納するＭＥＭ １２Ｂ、ならびに、適切なＲＦトランシーバ１２Ｄおよびアンテナ１２Ｅを含んでいる。ノードＢ １２はデータパス１８（例えば、ｌｕｂ）を介してサービングゲートウェイまたは他のゲートウェイ１２と通信する。ゲートウェイ１２自体はＰＲＯＧ １４Ｃを格納したＭＥＭ １４Ｂに接続されたＤＲ １４Ａを含んでいる。また、ＧＷ １４は他のデータインタフェースを介してコアネットワーク（図示せず）および他のＧＷと通信する。ＰＲＯＧ １０Ｃ、１２Ｃおよび１４Ｃのうち少なくとも１つは、関連するＤＰによって実行された場合に、本発明の実施例に従って電子デバイスを動作させることのできるプログラム命令を含むものと仮定される。これについては以下でより詳しく論じる。一般に、本発明の実施例は、ＵＥ １０のＤＰ １０Ａまたは他のＤＰによって、またはハードウェアによって、または、ソフトウェアおよび／またはファームウェアとハードウェアとの組合せによって実行可能なコンピュータソフトウェアによって実施可能である。
【００２９】
一般に、ＵＥ １０の種々の実施形態は、携帯電話、ワイヤレス通信機能を有するパーソナルディジタルアシスタント（ＰＤＡ）、ワイヤレス通信機能を有するポータブルコンピュータ、ワイヤレス機能を有するディジタルカメラのようなイメージキャプチャデバイス、ワイヤレス通信機能を有するゲーム機、ワイヤレス機能を有する音楽記憶再生機器、ワイヤレスインターネットアクセスおよびブラウジングが可能なインターネット機器、および、このような機能の組合せが組み込まれたポータブルユニットまたは端末を含むことができるが、これらに限定されない。
【００３０】
ＭＥＭ １０Ｂ、１２Ｂおよび１４Ｂはローカルの技術的環境に適した任意のタイプのものであってよく、また半導体をベースとしたメモリデバイス、磁気メモリデバイスおよびシステム、光学メモリデバイスおよびシステム、固定メモリおよびリムーバブルメモリのような任意の適切なデータストレージ技術を用いて実現してよい。ＤＰ １０Ａ、１２Ａおよび１４Ａはローカルの技術的環境に適した任意のタイプのものであってよく、また非限定的な例として、１つまたは複数の汎用コンピュータ、特定用途向けコンピュータ、マイクロプロセッサ、ディジタルシグナルプロセッサ（ＤＳＰ）、およびマルチコアプロセッサアーキテクチャに基づいたプロセッサを含んでいてよい。
【００３１】
上で述べたように、本発明をＴＴＩ内部でのランダム化とＴＴＩ外部でのランダム化の２つの要素に分解すると、説明に好都合である。図４−９には、種々のシナリオに従うＴＴＩ内部でのランダム化の詳細が示されており、図１０には、ＴＴＩ外部でのランダム化の詳細が示されている。図１１は上記２つの側面を併せもっており、ＴＴＩ内シフトとＴＴＩ間シフトの両方を考慮して系列の最終的なシフトに達するようにした、あるＺＣ系列についての全体的な巡回シフトを示している。シフトしたＺＣは基準信号とも呼ばれる。図１２には、この原理の仮想的なＭＩＭＯシナリオへの拡張が示されている。
【００３２】
以下で詳述するように、図４Ａ−Ｂおよび５の特定の例は最小の長さ（１２シンボル）のＤＭ ＲＳに対しての巡回シフトホッピング原理を示している。実際、ＤＭ ＲＳの長さは、ＲＵの倍数である割り当てられた帯域幅に依存する。ＬＴＥでは、ＲＵはそれぞれ１２の周波数ピンである。このことから、許容される巡回シフトは最小帯域幅割当てのＲＳ長さに従って量子化しうることが導かれる。１つのＲＵにつき１２の周波数ピンを有するＬＴＥの場合、これは、ＲＳ帯域幅にかかわらず、ＣＡＺＡＣ系列に対してつねに１２の可能な巡回シフト値しか可能でないということを意味している。したがって、可能な巡回シフト値（cyclic_shit_value）は［０，．．，１１］である。時間内の巡回シフトが生じるように巡回シフトが形成されると仮定すれば、シンボルにおける実際の巡回シフトは次のようにして計算される。
【００３３】
【数１】
2010525708.tif 000003
巡回シフト空間の量子化はシグナリングの観点からは明らかに有益であることが知られている。帯域幅が大きい場合、式１により計算されるcyclic_shift_symbolsよりも小さな巡回シフト差を有する系列は一般に十分な相互相関特性を持たない。
【００３４】
まず、１２の可能な巡回シフトをすべて使用した図４Ａ−Ｂおよび５を参照して、ＣＡＺＡＣ系列巡回シフトの環境の場合についてＴＴＩ内部でのランダム化を詳しく説明する。ＴＴＩ内部でのランダム化は事前定義されたシフトホッピングパターンにより実現される。各ＴＴＩには２つのスロットがある（スロット＃１およびスロット＃２；図１ＡはサブフレームまたはＴＴＩの単一スロットを示しており、図１Ｂは単一サブフレーム内の２つのスロットを示している）。図４Ａ−Ｂには、シフトホッピング原理の１つの実施形態が示されている。図４Ａは第１スロットのシフトホッピング（割当て）パターンを示しており、図４Ｂは第２スロットのシフトホッピング（割当て）パターンを示している。駆動基準はＴＴＩ内の隣接する巡回シフトに関して巡回シフト間隔を最大化することである。これは図４Ｂに示されている。隣接するシフト（例えば＃６と＃４は＃１１に隣接している）は第２スロット内のそれぞれの隣接シフトから十分に離れている。別の基準は第１スロットと第２スロットの間の巡回シフト回転を最大化することである（図４Ａと４Ｂの同じ「時計」位置／ＴＴＩの間のシフト）。図４Ａはこれを隣接リソース間の時計回りの回転として示し、図４Ｂに示されているランダム化されたシフトでは、これが隣接リソース間の反時計回りの回転として示されている。図４Ａ−Ｂのシフトホッピングパターンは図５の表においては数値形式で示されている。図４Ａ−Ｂのそれぞれの「時計」位置は図５の１つの行（「リソース番号」またはＲＵ）に対応しており、各行は１つのＴＴＩの１つのリソースに対するシフトを告げている。例えば、図５のリソース番号４において、スロット＃１のＺＣ系列はシフト位置４へとシフトされ、同じＴＴＩのスロット＃２のＺＣ系列はシフト位置２へとシフトされる。これらのシフト位置は図４Ａから分かるように互いに十分に離れている。
【００３５】
さらに、隣接セル間の干渉を防ぐために、（図５の元々のホッピングパターンに対する）スロット＃２の巡回シフトに対してセル固有の一定の回転を課し、第１スロットから第２スロットへのシフト回転が異なる（隣接）セル間で同じにならないようにしてもよい。これは次のように説明することができる。
【００３６】
【数２】
2010525708.tif 000004
ここで、"Num_Shifts"は許容される巡回シフトの総数（例えばこの例では１２）であり、modはモジュロ演算（除算後に余りをとる）である。セル固有のパラメータ"increment"は［０，１，．．，(Num_Shifts-1)］の中で変化する。これにより隣接セル間でシフトがランダム化され、隣接セルが同じベースＺＣ系列からシフトされる状況が阻止される。
【００３７】
図１Ｂの逆高速フーリエ変換ＩＦＦＴブロックの後に時間領域で巡回シフトを計算する場合、式２は妥当ではない。その場合、ＩＦＦＴオーバーサンプリングを考慮しなければならない。
【００３８】
つぎに、本発明のＴＴＩ内巡回シフト局面の例を引き継ぎ、図６−７を参照してブロックレベルでの拡散の例を説明する。ＴＴＩ内でのブロックレベル拡散符号（ＺＣ系列およびその改良版）のランダム化もまた予め決められた巡回シフトホッピングパターンにより行われる。しかし、このケースでは、ブロックレベル拡散の用途で使用されるＺＣ系列の長さは拡散率に依存する。図６では、２〜７の拡散係数ＳＦに対応する「時計」のペアとして巡回シフトホッピングパターンの例が示されており、図７の表では、同じデータが数値として示されている。上記ＣＡＺＡＣ系列の例では、各ＳＦにおいてスロット＃２内の隣接する巡回シフトの巡回シフト間隔が最大化されていること、ならびに、巡回シフト回転が第１スロットと第２スロットの間で最大化されていることに注意されたい。図６では、偶数ＳＦ対奇数ＳＦという形で列が示されている。ＳＦはサブフレーム内のロングブロックの数に等しい（図１Ａを参照のこと）。
【００３９】
図７に示されているホッピングパターンはＺＣまたはＣＡＺＡＣ系列以外のブロック拡散系列にも適用できることに注意しなければならない。特に、ＳＦ＝４のホッピングパターンは、アダマール行列により定義されるウォルシュ・アダマール系列の間のドップラー効果により生じる干渉をランダム化するのに最適である。
【００４０】
ＣＡＺＡＣ系列の例で述べたのと同様に、同じ理由で、すなわち、同一のベースＺＣ系列をシフトさせて隣接セル間の相互相関を行うために、上記の式２に従い、スロット＃２の巡回シフトにさらにセル固有の一定の回転を課してもよいことが導かれる。
【００４１】
つぎに、ＡＣＫ／ＮＡＣＫ送信におけるＺＣ系列をランダム化する、ＺＣ系列のＴＴＩ内巡回シフトの特定の実施形態を説明する。ＰＵＣＣＨ上でのＡＣＫ／ＮＡＣＫシグナリングの送信フォーマットについては、マルタで開催されたRAN1 #48bis会議において合意されている。図８には、この合意されたフォーマットが示されている。３つのブロック（黒いブロック）がパイロット信号用に確保されており、４つのブロック（ＡＣＫ／ＮＡＣＫ信号が存在する明るいブロック）がデータ用に確保されている。連続する２つのスロット（０．５ｍｓｅｃ）が１つのＴＴＩ（１．０ｍｓｅｃ）に等しく、各物理リソースユニットＰＲＵは図９の表において「巡回シフト」というインデックスで特定される１２個のＲＵを有している。
【００４２】
本発明の１つの実施形態によれば、両方のＺＣ系列（図５に示されているようなシンボルのＣＡＺＡＣ系列と図７に示されているようなブロックレベルＺＣ拡散系列）は提案されたシフトホッピング原理を別々に適用する。本発明の１つの実施形態による特定の巡回シフトを用いた巡回シフトランダム化の例が図９に示されている。図示されているように、スロット＃１における回転はデータとパイロットの両方で同じである。しかし、どんな相互相関でもランダム化できるように、スロット＃２では巡回シフトが明らかに異なっている。図９では、黒いブロックに列挙されているシフト番号から分かるように、データまたはパイロットのためのスロットのそれぞれにおいて、１８個のＡＣＫ／ＮＡＣＫリソースが使用されている。
【００４３】
つぎに、上記発明の別の異なる側面、すなわち、異なるＴＴＩの間でのランダム化、つまりＴＴＩ間ランダム化の例を説明する。１つのＴＴＩの外部でのランダム化はセル固有巡回シフトパターンを用いて行われる。このＴＴＩ間ランダム化の重要な側面はＴＴＩごとに無相関の「ＺＣ対ＺＣ」相互相関特性を提供することにある。
【００４４】
ランダム化パターンは最小ＤＭ基準信号長に従って生成される。なお、最小ＤＭ基準信号長は上記の例を引き継いで１２シンボルである。したがって、１２の巡回シフトを有する直交シフトホッピングパターンが存在する。これは１／１２の再利用パターンが可能であることを意味する。
【００４５】
図１０には、ＣＡＺＡＣ系列のためのセル固有巡回シフト置換行列の例が示されている。パターンは周期的であり、その長さは１つの無線フレームの長さに等しく、この例では１０ｍｓ、または同じことだが１０ ＴＴＩである。この置換行列は、ＴＴＩインデックスが変化したときに、可能なすべての巡回シフト変化（すなわち、０，１，．．，１１）が再利用パターンの１２個のセルのすべてにおいて生じるように生成されている。
【００４６】
ＴＴＩ間ブロック拡散に関する上記の説明に従い、ＴＴＩ外部でのランダム化をブロック拡散符号に対して課してもよい。ＴＴＩ内巡回拡散に関しては、それらの符号に対する擬似ランダムホッピングパターン（置換行列）は別個に生成され、別個に使用されるか、またはＴＴＩ間巡回シフトを組み合わせる際に図９でしたのと同様に、（ワイヤレスプロトコルが許す限りにおいて）ＣＡＺＡＣ系列巡回シフトと組み合わされる。あるいは、ＴＴＩ間ランダム化に関してのみ、同じランダム化行列（例えば図１０のランダム化行列など）をＣＡＺＡＣ系列巡回シフトとブロックレベル巡回シフトの両方に用いてもよい。
【００４７】
これでＣＡＺＡＣ系列とブロック拡散符号の両方についてＴＴＩ内巡回シフトとＴＴＩ間巡回シフトの両方を詳しく説明したので、つぎに複合巡回シフトホッピングを要素シフトから導出する。最終的に送信されるＺＣ系列の正味巡回シフトは単純に所与のスロットに対する総巡回シフトであり、リソース固有またはセル固有巡回シフト（スロット＃１、スロット＃２）とセル固有擬似ランダムホッピングの組合せとして得られる。具体的な例では、セル固有置換行列が４（図１１の回転シフトＡは０から４まで動く）に等しく、リソース固有巡回シフトが４（図１１の回転シフトＢは４から８まで動く）ならば、スロット＃１の実際の巡回シフトは複合された結果、すなわち、図１１の８である。スロット＃２に対する複合回転も同様に第２スロットに対するセル固有置換行列（ＴＴＩ内シフト）とこの第２スロットに対するリソース固有巡回シフト（ＴＴＩ間シフト）の組合せとなる。
【００４８】
ＴＴＩ内ランダム化とＴＴＩ間ランダム化の両方を考慮した、ＴＴＩのあるスロットに対する総巡回シフト値はつぎのように表せる。
Cyclic_sft_value =
mod(Cyclic_hop_intra(cell/resource, slot) + Cyclic_hop_inter(cell, i), Num_Shifts)
［式３］
ここで、ｉはＴＴＩインデックスであり、Cyclic_hop_intraはＴＴＩ内ホッピングの巡回シフトホッピングパターン（例えば図５および／または７）であり、Cyclic_hop_interはＴＴＩ間ホッピングの巡回シフトパターン（例えば図１０）であり、Num_Shiftsは許容される巡回シフトの総数（例えば、上記の例では１２）であり、modはモジュロ演算（除算後に余りをとる）である。巡回シフト割当てCyclic_hop_inter(cell/resource, slot)はセル固有（例えばＤＭ  ＲＳ）またはリソース固有（例えば陰伏的シグナリングを用いたＡＣＫ／ＮＡＣＫ）となるように構成しうることが知られている。
【００４９】
ＲＡＮ１ ＃４９ｂｉｓ会議では、ＰＵＣＣＨ上ではシンボル単位での巡回シフトホッピングを適用することが合意された。特にセクション４では、CYCLIC SHIFT HOPPING OF UL ACK CHANNELS (3GPP TSG RAN WG1 Meeting #49bis, Orlando, USA 25-29 June 2007 by Samsung, document R1-073149)という論文において、ＰＵＣＣＨ上での各シンボルに対する巡回シフトホッピングが論じられている。前記した巡回シフトホッピングはシンボルレート巡回シフトホッピングとともに適用することができ、複数のＴＴＩにわたる明らかに構造化されたホッピングパターンを可能にする。２つのケースが考えられる。
・シンボル単位でのホッピングパターンをスロットの持続時間によって決める。その場合、式３のCyclic_sft_valueがＣＡＺＡＣ系列の巡回シフトリソースを参照するインデックスとして使用される。このインデックスはスロットに対する巡回シフトホッピングパターンを決める際に使用される。例えば、Cyclic_sft_valueが第１のロングブロックＬＢに対する巡回シフト値を与えるようにすることができる。
・シンボル単位でのホッピングパターンをＴＴＩの持続時間によって決める。その場合、ＴＴＩ間ホッピングのCyclic_hop_interがＣＡＺＡＣ系列の巡回シフトリソースを参照するインデックスとして使用される。このインデックスはＴＴＩに対する巡回シフトホッピングパターンを決める際に使用される。例えば、Cyclic_sft_valueが第１のＬＢに対する巡回シフト値を与えるようにすることができる。
【００５０】
他のバリエーションも可能である。しかし、上記の説明はＴＴＩ間シフトパターン、ＴＴＩ内シフトパターンおよび総シフトパターンを与えているので、これらのパターンのうちのどれでも、１つのＴＴＩのスロット内および異なるＴＴＩ間でのシンボル単位でのホッピングパターンの巡回シフトリソースを参照するインデックスとして使用することができる。
【００５１】
つぎに、スロットの持続時間によりシンボル単位での巡回シフトホッピングパターンを決める。これらのパターンは、セル内干渉のランダム化を提供する要素とセル間干渉のランダム化を提供する要素の２つの要素から構成されている。セル内干渉をランダム化するホッピングパターン要素をはじめとして、ホッピングパターン設計の主な基準は、ＵＥの特定のペアが隣接する巡回シフトを使用しているときのＴＴＩ内におけるＬＢの出現または個数を最小化することである。この基準では、同一のブロック拡散符号を使用しているＵＥのペアだけが考察される。というのも、異なるブロック拡散符号を使用しているＵＥからの送信は、低いまたは適度なＵＥ速度では互いに直交しているからである。
【００５２】
セル内干渉のランダム化については、ＬＢ内のＣＡＺＡＣ系列巡回シフトによって１２個のＵＥが多重化される場合と６個のＵＥが多重化される場合の２つの異なる多重化シナリオが考えられる（式１のCyclic_shift_symbols）。１２個のＵＥがＣＡＺＡＣ系列巡回シフトによって多重化される場合、１２の巡回シフトのすべてが、同じブロック拡散符号を使用しているＵＥによって使用されうる。したがって、このホッピングパターン設計の関心は特に偶数巡回シフトと奇数巡回シフトの間の干渉をランダム化することにある。図１３には、この設計基準に従った１つの巡回シフトホッピングパターンが示されている。ＣＡＺＡＣ系列巡回シフトによって１２個のＵＥを多重化するシナリオは、シンボル単位での巡回シフトホッピングによるセル内干渉のランダム化が重要になるスケジューリングリクエスト送信の際に使用することができる。
【００５３】
ＣＱＩ、ＡＣＫ／ＮＡＣＫ、またはスケジューリングリクエスト送信の際に、６個のＵＥをＣＡＺＡＣ系列巡回シフトによって多重化することもできる。このシナリオでは、同一のブロック拡散符号を有する異なるＵＥが２つの巡回シフトにより分けられる。したがって、このホッピングパターン設計の関心は偶数巡回シフト間の干渉および奇数巡回シフト間の干渉をランダム化することにあり、偶数巡回シフトと奇数巡回シフトの間のランダム化にはほとんど注意が払われない。このシナリオの別の側面では、ＬＢのうちのいくつか（ＣＱＩまたはＡＣＫ／ＮＡＣＫの場合、それぞれ２または３）が基準信号に使用され、その一方でその他のＬＢ（ＣＱＩまたはＡＣＫ／ＮＡＣＫの場合、それぞれ４または５）は情報を運ぶために使用される。結果として、巡回シフトホッピングパターンはサブフレームの長さを持つ必要がなく、情報ＬＢまたは基準ＬＢの最大数に応じた長さで十分である。サブフレームの期間を得るために、ホッピングパターンの列のうちのいつくかがサブフレーム中に繰り返される。しかし、これらのホッピングパターンの列の繰り返しは、情報ＬＢの送信中または基準シンボルの送信中に同じ列が繰り返されないように行われる。ホッピングパターンの列とスロット内のＬＢ番号との間のこのようなマッピングの一例が図１４に示されている。このようなマッピングにより、異なる複数のＵＥから１つのＲＵへのＣＱＩおよびＡＣＫ／ＮＡＣＫ送信の多重化が可能になることに注意されたい。図１５には、この設計基準に従った１つの巡回シフトホッピングパターンが示されている。
【００５４】
セル間干渉をランダム化するシンボル単位でのホッピングパターン要素を引き継いで、この同じ原理をＴＴＩ間ランダム化についても適用する。ランダム化はセル固有巡回シフトパターンを用いて行われ、ランダム化パターンはＬＢ内での系列長に従って生成される。この系列長は上記の例を引き継いで１２シンボルである。したがって、１２の巡回シフトを有する直交シフトホッピングパターンが存在する。これは１／１２の再利用パターンが可能であることを意味する。
【００５５】
図１６には、ＣＡＺＡＣ系列のためのセル固有巡回シフト置換行列の例が示されている。パターンは周期的であり、その長さは１つのスロットの長さに等しく、この例では０．５ｍｓ、または同じことだが７ＬＢである。この置換行列は、ＴＴＩインデックスが変化したときに、可能なすべての巡回シフト変化（すなわち、０，１，．．，１１）が再利用パターンの１２個のセルのすべてにおいて生じるように生成されている。
【００５６】
ＴＴＩ内ランダム化とＴＴＩ間ランダム化ならびにシンボル単位でのホッピングを考慮した、あるＬＢに対する巡回シフト値はつぎのように表せる。
Cyclic_Shift =
mod(Symbol_hop_intra(Cyclic_sft_value, m, c) + Symbol_hop_inter(cell, k), Num_Shifts)
［式４］
ここで、Symbol_hop_intraはセル内干渉をランダム化するシンボル単位でのホッピングの要素（例えば、図１３または１４）であり、Cyclic_sft_valueは式３により得られる値であり、ｋはＬＢインデックスであり、ｍはｋインデックスをホッピングパターンの列にマッピングするインデックスであり、ｃはリソース割当てまたはブロック拡散符号および送信内容に関するパラメータであり、Symbol_hop_interはセル間干渉をランダム化するシンボル単位でのホッピングの要素（例えば、図１６）であり、Num_Shiftsは許容される巡回シフトの総数（例えば、この例では１２）であり、modはモジュロ演算（除算後に余りをとる）である。
【００５７】
シフトホッピングパターンの実装はＵＥ １０のＭＥＭおよびノードＢ １２のＭＥＭに配置／格納されたルックアップテーブルに基づいていてよい。ＴＴＩ内部でのランダム化とＴＴＩ外部でのランダム化に関して、ならびに、上記のようなシンボル単位での巡回シフトホッピングのセル内干渉のランダム化の要素とセル間干渉のランダム化の要素に関して、別個のルックアップテーブルを用いてもよい。
【００５８】
格納されたルックアップテーブルの代わりに簡単な式によってこの機能を実現してもよい。これらの簡単な式はソフトウェア、ファームウェア（集積回路）、またはこれらの組合せとして実施することができる。例えば、図５はつぎの式として実施することができる。
Cyclic_sft_slot1の値が偶数ならば、Cyclic_sft_slot2 = mod(6−Cyclic_stf_slot1, 12)
Cyclic_sft_slot1の値が奇数ならば、Cyclic_sft_slot2 = mod(−Cyclic_stf_slot1, 12)
ここで、Ｎは系列の長さ（単位：シンボル）である。
【００５９】
同様に、図７はつぎの式として実施することができる。
Ｎの値が偶数ならば、Cyclic_sft_slot2 = mod(1−Cyclic_stf_slot1, N)
Ｎ＝３ならば、Cyclic_sft_slot2 = mod(1 + 2*Cyclic_sft_slot1, N)
Ｎ＝５ならば、Cyclic_sft_slot2 = mod(−2 + 3*Cyclic_sft_slot1, N)
Ｎ＝７ならば、Cyclic_sft_slot2 = mod(2*Cyclic_sft_slot1 + 1, N)
１２個のＵＥを多重化するシナリオにおいて、セル内干渉ランダム化ホッピング要素は以下の式のように実施されうる。
式３により得られる"Cyclic_sft_value"の値が偶数ならば
【数３】
2010525708.tif 000005
"Cyclic_sft_value"の値が奇数ならば
【数４】
2010525708.tif 000006
ここで、ｋLB＝１，２，．．．，７はスロット内のＬＢのインデックスである。
【００６０】
６個のＵＥを多重化するシナリオでは、セル内干渉ランダム化ホッピング要素は以下の式のように実施されうる。
式３により得られる"Cyclic_sft_value"の値が偶数ならば
【数５】
2010525708.tif 000007
"Cyclic_sft_value"の値が奇数ならば
【数６】
2010525708.tif 000008
ここで、
【数７】
2010525708.tif 000009
は０，１，．．．５，ｍLBの範囲にわたり、図１４に示されている通りであり、
【数８】
2010525708.tif 000010
はｘに等しいか、またはｘよりも大きな整数のうち最小のものであり、
【数９】
2010525708.tif 000011
はｘに等しいか、またはｘよりも小さな整数のうち最大のものであり、パラメータｃは０または１の値を有することができる。パラメータｃの値はCyclic_sft_value/2の剰余として得てもよいし、ブロック拡散系列インデックスから導いてもよい。パラメータｃは定数、セル固有パラメータであってもよく、あるいはＵＥが、２つの隣接巡回シフトを使用するＣＱＩ送信の場合のように両方の値を使用してもよい。
【００６１】
これらの式、ならびに上記の［式１］、［式２］、［式３］および［式４］はソフトウェアとして実現され、ＤＰ １０Ａ、１２Ａ、１４Ａのようなディジタル信号プロセッサにより、または集積回路のファームウェア／回路構成により、またはこれらの組合せにより実行されるものであってよい。
【００６２】
上で実施例を用いて詳しく説明した発明によれば、従来技術において知られている巡回シフトに勝る複数の利点がもたらされる。とりわけ、
偶数長のパターン（ＴＴＩ内でのランダム化）：
・巡回シフトｎとｍｏｄ（ｎ＋Ｎ／２，Ｎ）とがつねに最小の相互相関を有する：
ランダム化の間中この特性を維持することは多くの使用形態において有益である。
【００６３】
ＤＭ ＲＳ：Ｖ−ＭＩＭＯで動作するペアのＵＥの間の相互相関を可能な限り最小にすることがつねに可能である。
【００６４】
制御チャネルアプリケーション：ＲＳによりＡＣＫ／ＮＡＣＫを送信することが可能である（ある巡回シフトがＡＣＫに対応し、別の巡回シフトがＮＡＣＫに対応する）。ＡＣＫ／ＮＡＣＫ間の相互相関はつねに可能な限り最小である。
【００６５】
ブロック拡散アプリケーション：部分直交性が最大化される（より良いドップラー保護）。多重化能力を犠牲にして、非常にＵＥ速度の高い（例えば３６０ｋｍ／ｈ）符号チャネル間の直交性を維持することが可能である。
・第１スロットと第２スロットの間の最大巡回シフト回転。
・（第１スロットと第２スロットの間の）隣接巡回シフトに関する最大巡回シフト間隔。
奇数長のパターン（ＴＴＩ内でのランダム化）：
・第１スロットと第２スロットの間の最大巡回シフト回転。
・（第１スロットと第２スロットの間の）隣接巡回シフトに関する最大巡回シフト間隔。
直接シグナリング。
陰伏的シグナリングのサポート。
【００６６】
ある特定の実施形態では、巡回シフトホッピングはネットワーク／ノードＢによって完全にコンフィギュラブルというわけではない（例えば、すべての割当てテーブルＡＴ／物理ダウンリンク制御チャネルＰＤＣＣＨ上で送信するわけではない）。発明者は、使用される巡回シフトがすべてのＵＬ／ＤＬ割当て許可のたびにシグナリングされなければならないとしたら、必要とされるシグナリングは過度の重荷になると考える（つまり、１２の巡回シフトと２つのスロットは割当て許可シグナリングから少なくとも５ビットを必要とする。これは大きなシグナリングオーバーヘッドに関与することである）。ネットワーク／ノードＢが巡回シフトを完全にコンフィギュアできない場合、無線リンク制御ＲＬＣシグナリングおよび／またはセクター固有ブロードキャストチャネルが、例えばＵＥのセルへの登録または再登録のような現在使用中の関連する巡回シフトホッピング系列をＵＥに与える。
【００６７】
Ｖ−ＭＩＭＯ適用例でのＤＭ ＲＳ割当ては、（ＳＩＭＯのケースに比べて）巡回シフト割当ての観点からの特殊ケースであることに注意されたい。基本的に、Ｖ−ＭＩＭＯでは、セルごとに複数の巡回シフトリソースが必要であるのに対し、ＳＩＭＯでは、セルごとに１つの巡回シフトしか必要でない。したがって、
・ＳＩＭＯの場合は半静的なシグナリングに頼ることができる。つまり、巡回シフト割当てをセル固有またはリソース固有にすることができる。
・シグナリングのみを用いるＶ−ＭＩＭＯの場合、ＵＥは予め決められた巡回シフト割当てに対応する２つの予め決められたグループに入れられなければならない（例えば図４Ａ−Ｂ参照）。このアプローチの１つの懸念は、グループ分けによってネットワーク／ノードＢにいくつかのスケジューラ制限がもたらされることである。すなわち、ＲＳの衝突なしに２つのＵＥを同一の巡回シフトグループに割り当てるようスケジューリングすることはできない。このため、Ｖ−ＭＩＭＯの潜在的なゲインが低下することになる。ただし、この低下が有意なものとなるか無視しうるものとなるかはコンテクストに依存する。
【００６８】
そのため、ＭＩＭＯの場合、巡回シフトに関してＵＥ固有のシグナリングも使用すると有利である。この情報はＵＬリソース割当て許可シグナリングとともに送信することができる（例えば、パケットデータ制御チャネルＰＤＣＣＨとしても知られる割当てテーブルＡＴで）。このシグナリングは、ＭＩＭＯの場合、特定のＵＥに対して割り当てられた実際の巡回シフト、例えば、割り当てられている各ＵＥに対応するエントリー、または以前のＵＬデータ送信と比べて割り当てられたリソース上で巡回シフトパターンが変化すべきＵＥのみに対応するエントリーを有する別個のフィールドをシグナリングするために使用される。
【００６９】
ＵＬリソース割当てによるこのＵＥ固有シグナリングの実施例として、ＵＥ固有情報は以下のものを含む。
・ＳＩＭＯの場合に必要となる０個の追加ビット
・２×２ＭＩＭＯの場合に必要となる１つの追加ビット（２つのリソースのうちの一方が所与のＵＥに割り当てられる）
・４×４ＭＩＭＯの場合に必要となる２つの追加ビット
・４つより多くのアンテナをサポートするＭＩＭＯの場合に必要となる３つの追加ビット
便宜上、ＵＬ割当て許可メッセージ内のこれらの追加ビットを「ＭＩＭＯ巡回シフトインディケータ」と呼ぶ。
【００７０】
ＭＩＭＯに関連した巡回シフトシグナリングは２つの方法で実現することができる。
ａ）ＵＬ割当て許可からつねに１または２ビットだけ余分にシグナリングスペース（「ＭＩＭＯ巡回シフトインディケータ」）を確保する。巡回シフトと送信アンテナとに対して種々のグレイマッピング（すなわち、ある送信アンテナには所定の巡回シフトを）のいずれを適用してもよい。例えば
"００"（または"０"）  アンテナ＃１
"１１"（または"１"）  アンテナ＃２
"０１"  アンテナ＃３
"１０"  アンテナ＃４
したがって、ＳＩＭＯの場合、つねに"０"または"００"が追加ビットフィールドで送信される。
【００７１】
２×２ ＭＩＭＯでは、２ビットシグナリングフィールドがつねに確保されている場合には"００"または"１１"が使用される。そうでなくて、１ビットフィールドしか使用しない場合には、"０"または"１"が使用される。
ｂ）ＳＩＭＯとＭＩＭＯとで僅かに異なる割当て許可シグナリングを使用する
ＲＬＣシグナリングを用いて「ＭＩＭＯ巡回シフトインディケータ」の存在をコンフィギュアする。これはセル固有のコンフィギュレーションである。
・コンフィギュレーションはセル固有巡回シフト割当てに関する情報（すなわち、あるセルにどれくらいの数の巡回シフトを割り当てるか）を暗に使用して行ってもよい。
【００７２】
予め決められた符号パンクチャリングスキームを用いて、必要なときにはいつでも、既存のＵＬ割当て許可へと「ＭＩＭＯ巡回シフトインディケータ」をパンクチャリングする。
【００７３】
図１２に見られるように、ただ１つのアンテナしか使用されておらず、ＵＬリソース割当てとともにＳＩＭＯ ＵＥにシグナリングされるＭＩＭＯ巡回シフトインディケータビット"０"または"００"（もし使用されるならば）がＳＩＭＯの場合の巡回シフトパターンを反映しているので、ＭＩＭＯ巡回シフトインディケータはＳＩＭＯモードで動作するＵＥには無視される。図１２に見られるＭＩＭＯ ＵＥ（２×２または４×４）の場合、ＵＬリソース割当てとともにＭＩＭＯ ＵＥにシグナリングされるＭＩＭＯ巡回シフトインディケータビットは、上記パートａ）のグレイマッピングまたは他のＲＬＣシグナリングと組み合わされて、ＭＩＭＯ ＵＥが次のＵＬ送信のために自らの巡回シフトパターンをどのように調整すべきかをＭＩＭＯ ＵＥに知らせる。ネットワーク／ノードＢは特定のＵＥがその巡回シフトパターンをどのように変えるべきかを決定し、それを相応してシグナリングすることにより、セル内での衝突／干渉が確実に防止されるようにする。
【００７４】
したがって、各ＺＣ系列から複数の基準信号が前記系列の巡回シフトとともに導出される。所与のセルの中の複数のＵＥは同じＺａｄｏｆｆ−Ｃｈｕ系列を共有しているが、上で詳述したＵＥ固有巡回シフトを使用して直交性を維持している。しかし、隣接セルにおけるＵＥのＵＬ割当ての帯域幅が異なるため、またチャネル推定が実際上系列の部分相関を必要とするため、ＺＣ系列の理想的な相互相関特性は失われ、その結果として、許容できない（部分）相互相関特性が生じてしまう。上記のように、巡回シフトホッピングと系列ホッピングとによるランダム化はこの問題に部分的にしか対処していない。しかしながら、ホッピングパターンの協調は上記の解決手段に対するさらなる改善と見なされる。
【００７５】
シグナリングのオーバーヘッドを低く保ち、柔軟な構造を維持しつつ、基準信号の相互相関を効率的に平均化することは、ＺＣ系列ホッピングと協調とに関する理想的な解決手段により可能になる。柔軟な解決手段は、上記のようなＺＣ系列ホッピングによる相互相関のランダム化だけでなく、系列の協調も、系列ホッピングと協調のそれぞれの側面の組合せも可能にする。さもなければ、この解決手段はネットワーク設計の可能性も、ＲＳ相互相関を緩和する高度な受信器の可能性も制限してしまう。
【００７６】
いくつかのオプションがこれまでに提案されている。
・系列協調。１つのリソースブロック（ＲＢ）ＵＬ割当てでは使用可能な系列の数は非常に限られているため、すべてのシナリオにおいて許容できる部分相互相関特性を得るのに十分な系列が存在しない。相互相関値の大部分はいくつかの系列ペアにとっては許容できないほど高いので、巡回シフトホッピングによる系列協調でも、すべてのシナリオにおいて十分な解決手段が得られるわけではない。
・系列ホッピング。提案された系列ホッピング解決手段は、柔軟でない解決手段であるか、または予め決められた系列インデックスの大規模なテーブルを生じるか、または大きなシグナリングオーバーヘッドをもたらすかのいずれかである。
【００７７】
しかし、これらの解決手段は系列ホッピングによるランダム化と系列協調によるランダム化の両方を十分にサポートしていない。発明者の知る限り、先行技術において、系列ホッピングと系列協調による両方のランダム化をサポートするシグナリング装置はない。
【００７８】
ＴＴＩ内系列ホッピングに関しては、系列ホッピングパターンの長さはＴＴＩ内のＲＳブロックの数ｎ（図１Ａおよび１Ｂのフレーム構造では２）に等しく、このパターンが各ＴＴＩについて周期的に繰り返されることが知られている。ネットワーク側では、（ｅ-）ノードＢ １２が可能なそれぞれのＵＬ割当て帯域幅についてｎ個の系列インデックスをＵＥ １０にシグナリングする。これらの系列インデックスは無線リソース制御（ＲＲＣ）メッセージ上および／またはｅノードＢ固有ブロードキャストチャネル上でシグナリングされる。
【００７９】
また、系列インデックスを所定の仕方でグループ分けし、あるグループの系列インデックスの代わりに単にグループインデックスをシグナリングすることも可能である。これらの系列グループはセル固有であってよい。グループは仕様によりコンフィギュラブルでもよいし、ハードワイヤードでもよい。また、系列ホッピングをグループ外で実行することも可能である。この選択により、グループごとの系列数と帯域幅オプションが小さい（例えばたった２）場合に、ホッピングパターンの長さを増大させることができる。ＵＥ 10はＵＬ割当ての帯域幅と現在のＲＳブロック数とに基づいて使用する基準信号を選択する。巡回シフトホッピングは系列ホッピング／系列協調に加えて適用される。
【００８０】
ｎ個の系列インデックスのシグナリングはすべてのＵＬ割当て帯域幅オプションで必要であり、したがってかなりのシグナリングオーバーヘッドを生じる可能性がある。１つの選択肢はこのシグナリングを２つの部分に分けることである。第１の部分は最も重要な割当て帯域幅のためのｎ個の系列インデックスを含み、ＲＡＣＨ応答があったらハンドオーバ制御シグナリングの一部としてＵＥにシグナリングされるようにする、および／または、ｅノードＢ固有のブロードキャストチャネル上で比較的頻繁に繰り返されるようにする。第２の部分は残りの割当て帯域幅オプションのためのｎ個の系列インデックスを含み、無線リソース制御（ＲＲＣ）メッセージ上でＵＥにシグナリングされる、および／またはｅノードＢ固有のブロードキャストチャネル上でより低い頻度で繰り返されるようにする。
【００８１】
系列グループを予め決めてあれば、シグナリングの必要性は大幅に小さくなる。セル固有系列グループのシグナリングは限られたビット数のブロードキャストチャネル上で行うことができる。しかし、グループ内の系列インデックスがコンフィギュアされる場合には、かなりのシグナリングが必要となる。
【００８２】
これはいくつかの利点をもたらす。要求されるシグナリングオーバーヘッドが比較的小さいうえに、つぎのことが可能になる。
−系列協調と系列ホッピングの両方が可能である。系列協調では、同じインデックス／帯域幅がｎ回繰り返される。系列協調は（例えば高度なｅノードＢ受信器の場合に）魅力的なオプションとなりうる。１ ＲＢ ＵＬ割当てではベースシーケンスの数に限りがあるので、おそらく１ ＲＢ ＵＬ割当てで必要とされるだろう。
−スキームが柔軟である。系列ホッピングパターンはネットワーク設計中に決定することができ、必要ならば、ネットワーク動作時に更新することもできる。
【００８３】
図１７は、本発明の非限定的な実施形態によるプロセス流れ図である。ブロック１７０２では、ｅノードＢがセル固有巡回シフトの指標をブロードキャストする。図１７の特定の例では、ユーザ固有巡回シフトも使用されているので、ブロック１７０４では、ｅノードＢが特定のユーザに対するアップリンクリソース割当てにおいてこの特定ユーザにそのユーザ固有巡回シフトの指標を送信する。つぎに（あるいはブロック１７０２および１７０４の一方または両方よりも前に）、ブロック１７０６において、ＥノードＢは、ブロック１７０２で示されたセル固有巡回シフトと、スロット２に対して反時計回りのシフトを行う式［２］で見られる擬似ランダムホッピングとの結果の組合せとして、基準信号巡回シフトを量子化する。ある実施形態では、巡回シフトは、セル固有巡回シフトと擬似ランダムホッピングの結果とブロック１７０４で指標が送信されたユーザ固有巡回シフトとの合計に対するモジュロ演算として量子化される。つぎに、特定のユーザ機器がブロック１７０８においてセル固有巡回シフトのブロードキャスト指標を受信し、ブロック１７１０ではアップリンクリソース割当てにおいてユーザ固有巡回シフトの指標を受信し、ちょうどｅノードＢがしたようにその巡回シフトを計算する。ブロック１７１２では、このＵＥは、ユーザ固有巡回シフトの指標を運ぶ、自らに割り当てられたアップリンクリソースにおいて、セル固有巡回シフトと擬似ランダムホッピングの結果とユーザ固有巡回シフトの合計に対するモジュロ演算に従って巡回シフトされた基準信号をｅノードＢに送信する。ｅノードＢはこの信号を受信し、それをこの特定のユーザに割り当てられた特定のアップリンクリソースの復調基準信号として認識する。
【００８４】
ＵＴＲＡＮ−ＬＴＥを例に説明しているが、上記ＵＥ １０とｅノードＢ １２の手続きを別のタイプのワイヤレスネットワークに適用することは本発明の実施例の範囲内であり、本願明細書の内容は特定のワイヤレス通信プロトコルに限定されない。
【００８５】
本発明の実施形態によれば、ＴＴＩ内シフトに適合した第１の巡回シフトホッピングパターンと、ＴＴＩ間シフトに適合した第２の巡回シフトパターンを物理リソースユニット内に格納し、前記第１の巡回シフトパターンをＣＡＺＡＣ系列に適用し、前記第２の巡回シフトパターンを前記ＣＡＺＡＣ系列に適用し、前記第１および第２のサイクリックホッピングパターンを組み合わせた巡回シフトパターンに従って前記ＣＡＺＡＣ系列を送信する方法、装置、コンピュータ可読メモリ上に実体的に実現された、プロセッサにより実行可能なコンピュータプログラム、および集積回路が提供される。
【００８６】
ある特定の実施形態では、第１の巡回シフトパターンはＣＡＺＡＣ系列用、特定の拡散率のブロックレベル拡散用、またはＣＡＺＡＣ系列とブロックレベル拡散の両方の組合せである。別の特定の実施形態では、第２の巡回シフトパターンはＣＡＺＡＣ系列用、特定の拡散率のブロックレベル拡散用、またはＣＡＺＡＣ系列とブロックレベル拡散の両方の組合せである。ある実施形態では、第１および第２のパターンの一方または両方の巡回シフトの間隔が隣接シフト間で最大化される。別の実施形態では、２つのスロットの間の巡回シフトが最大化される。また別の実施形態では、少なくとも１つのスロットのシフトが隣接セルとの相互相関を避けるために回転される。さらに別の実施形態では、前記パターンの巡回シフトは最小帯域幅割当ての基準信号に従って量子化される。別の実施形態では、パターンはｘの巡回シフトを決定し、１／ｘごとに再利用される。ここで、ｘは最小の復調基準信号長である別の実施形態では、第２のパターンは１つの無線フレームに等しい長さを有し、周期的である。ベースシーケンスホッピングと巡回シフトホッピングには別々の同時的なホッピングパターンが存在しており、ネットワークは、巡回シフトホッピングパターンのｎ個の系列インデックスのうち、どれをＵＬ送信に使用すべきかを、無線リンク制御メッセージまたはブロードキャストメッセージによってＵＥにシグナリングすることができる。これらの点および他の点については、上で詳細に説明されている。
【００８７】
一般的に、これら種々の実施形態はハードウェアもしくは専用回路、ソフトウェア、ロジック、またはこれらの組合せによって実現しうる。例えば、いくつかの側面はハードウェアで実現し、その一方で他の側面はコントローラ、マイクロプロセッサ、または他のコンピューティングデバイスにより実行されるファームウェアまたはソフトウェアで実現されるようにしてよい。しかし、本発明はこれに限定されない。本発明の種々の側面はブロック図、フローチャートとして、または他の図的表現を用いて図示および説明することができるが、本明細書に記載されたこれらのブロック、装置、システム、技術または方法は、非限定的な例として、ハードウェア、ソフトウェア、ファームウェア、専用回路もしくはロジック、汎用ハードウェアもしくはコントローラ、または他のコンピューティングデバイス、またはこれらの組合せにより実現しうることが良く理解されなければならない。
【００８８】
本発明の実施形態は集積回路モジュールのような種々のコンポーネントで実施してもよい。集積回路の設計は概して高度に自動化されたプロセスである。ロジックレベルでの設計をエッチングにより半導体基板上に形成される半導体回路デザインに変換する複雑で強力なソフトウェアツールがすでに存在している。
【００８９】
カリフォルニア州マウンテンビューのシノプシス社およびカリフォルニア州サンノゼのケイデンスデザイン社により提供されているようなプログラムは、十分に確立された設計規則と予め記憶しておいた設計モジュールのライブラリを用いて、自動的に導体をルーティングし、コンポーネントを半導体チップ上に配置する。半導体回路の設計が完了してしまえば、結果として得られたデザインは標準的な電子フォーマット（例えば、Opus、ＧＤＳＩＩ等）で半導体製造設備または"ｆａｂ"（ｆａｂｒｉｃａｔｉｏｎの"ｆａｂ"）に送られる。
【００９０】
添付図面とともに上記の説明を読めば、種々の変更および適応が当業者には明らかとなる。しかし、本発明の技術事項のいずれの変更も本発明の非限定的な実施形態の範囲内に入る。
【００９１】
さらに、本発明の種々の非限定的な実施形態の特徴のうちのいくつかは他の特徴を使用せずに有利に使用しうる。このように、上記の説明は本発明の原理、技術事項、および実施例の単なる例解と見なされるできであり、限定と見なされるべきではない。
【図１Ａ】
2010525708.tif 000012
【図１Ｂ】
2010525708.tif 000013
【図１Ｃ】
2010525708.tif 000014
【図２】
2010525708.tif 000015
【図３】
2010525708.tif 000016
【図４Ａ】
2010525708.tif 000017
【図４Ｂ】
2010525708.tif 000018
【図５】
2010525708.tif 000019
【図６】
2010525708.tif 000020
【図７】
2010525708.tif 000021
【図８】
2010525708.tif 000022
【図９】
2010525708.tif 000023
【図１０】
2010525708.tif 000024
【図１１】
2010525708.tif 000025
【図１２】
2010525708.tif 000026
【図１３】
2010525708.tif 000027
【図１４】
2010525708.tif 000028
【図１５】
2010525708.tif 000029
【図１６】
2010525708.tif 000030
【図１７】
2010525708.tif 000031
【国際調査報告】
2010525708.tif 000032
2010525708.tif 000033